(57)【特許請求の範囲】
【請求項１】
用紙に画像を形成して記録紙とする画像形成部が内部に配置され、装置の一方の側方側にて上方に突出するように設けられた突出部に記録紙が排出される記録紙排出口を有する記録紙作成部と、
この記録紙作成部の上方に空間を介して設けられ、水平に固定した状態の原稿を読み取ると共に、読み取った画像情報を前記画像形成部に供給する画像読取り部と、
前記記録紙作成部と画像読取り部との間の空間部に設けられ、記録紙作成部の記録紙排出口から排出された記録紙を収容する記録紙排出部と、
前記突出部に対向する記録紙作成部の装置の他方の側方側に設けられ、前記画像読取り部を前記記録紙排出部の上方に支持する支持部とを備え、
前記記録紙排出部には、前記記録紙作成部の上面と空間を隔てた状態で配置される排出トレイを具備させ、この排出トレイに前記記録紙作成部から排出される記録紙を積載可能とし、
前記排出トレイは、前記記録紙排出口に隣接する側から他方の側に向けて上方に傾斜している傾斜部分と、装置手前側に装置奥側に向かって凹む切欠き部とを有すると共に、前記突出部の装置手前側の端部は前記支持部の装置手前側の端部よりも装置手前側に位置することを特徴とする画像形成装置。
【請求項２】
請求項１に記載の画像形成装置において、
前記画像読取り部は、前記記録紙作成部の両側部によって支持されていることを特徴とする画像形成装置。
【請求項３】
請求項１または請求項２に記載の画像形成装置において、
前記排出トレイは、前記記録紙排出部にて、幅方向において前記記録紙排出口側から反対側の略全域に亘って配置される構成であることを特徴とする画像形成装置。
【請求項４】
請求項１ないし請求項３いずれかに記載の画像形成装置において、
前記排出トレイは、画像読取り部に対応した領域内に配置されていることを特徴とする画像形成装置。
【発明の詳細な説明】
【０００１】
【産業上の利用分野】
本発明は、電子複写機、熱転写式複写機など、またはそれらとファクシミリ、プリンター等の機能を併せもつデジタル画像形成装置に関するものである。
【０００２】
【従来の技術】
上記電子複写機等のような画像形成装置においては、画像読取り部と記録紙作成部とを一体に組み合わせた装置として構成され、画像読取り部において読み取った原稿の画像の反射光を、記録紙作成部に設けた感光体ドラム等の画像担持体に伝達し、この画像担持体に静電潜像を形成する。前記画像担持体の周囲には、電子写真方式によるトナー画像の形成手段と、そのトナー画像を用紙に転写する手段、及び、定着装置とを設けており、トナー画像を担持する用紙を定着装置を通して定着し、記録紙を得ることができるようにされる。
【０００３】
上述したような一般の電子複写機等においては、例えば、特開平２−２３１３２４号公報等に示されるように構成される。前記従来の電子複写機では、装置本体の上部に画像読取り部を配置し、その画像読取り部の下部に記録紙作成部を設けており、該記録紙作成部に対して用紙を供給するために、装置本体の下部に複数の給紙トレイを配置する給紙部を設けている。上記電子複写機では、原稿の画像を走査した光を、直接感光体ドラムに伝達して、画像の書き込みを行う方式を用いる装置として構成されている。これに対して、画像読取り部において、原稿を走査した情報をデジタル信号として出力し、記録紙作成部においてはレーザビームによる書き込み手段を用いて感光体ドラム等に静電潜像を形成する機構を設ける場合もある。
【０００４】
上記デジタル方式の電子複写機では、ファクシミリの場合と同様に、画像信号の処理の動作を行うように構成しているものであるが、記録紙作成部としては、例えば、特開平１−３１４２５６号公報に示されるレーザプリンタと同様に、デジタル方式を用いて記録紙を作成する機構を設けている。上述したように、デジタル方式の画像読取り部と記録紙作成部とを組み合わせた装置においても、光学式の電子複写機の場合と同様にして、原稿の画像を走査した情報を用いて、記録紙を作成することができる。また、上記デジタル方式を用いる画像形成装置は、電子複写機としてのみ用いることの他に、ファクシミリとして利用することや、コンピュータに接続して、プリンタとしても利用することができる。そして、上述したような複合機能を持たせた画像形成装置により、電子複写機とレーザプリンタ、および、ファクシミリの機能を任意に利用することができるものとされる。
【０００５】
上述したように、デジタル方式の画像読取り部と記録紙作成部とを組み合わせて、画像形成装置を構成する場合に、その装置本体は、デジタル方式の機構を利用するために、比較的コンパクトな装置として構成することができる。また、記録紙作成部に向けて用紙を供給するために、給紙カセットや給紙トレイ等を給紙部に装着する場合でも、上記特開平２−２３１３２４号公報等に示されるように、給紙カセット等を装置のフロント側から装着できるようにされる。そして、給紙カセット等の用紙収容装置を、画像形成装置の本体のフロント側から着脱できるように構成したことにより、その給紙カセットを側部から着脱する機構に比べて、画像形成装置の設置スペースを少なくすることができるとともに、装置の操作性を向上させることが可能になる。
【０００６】
ところが、前述したように、デジタル方式を用いて画像形成装置を構成する場合でも、記録紙を排出させるための記録紙排出部を、装置本体の側部に突出させて配置することが必要であり、その排出トレイのスペースを余分に使用することになる。また、従来の画像形成装置では、給紙カセット等から供給される用紙を、装置本体の側部に配置する用紙搬送路を介して、記録紙作成部に搬送する機構を構成している場合が多くある。そして、画像形成装置を構成する各部材に対して、メンテナンスを行うためや、用紙搬送路でのジャム紙の処理等のために、装置本体の側部に開閉ドア部材を配置している。
【０００７】
したがって、装置本体の側部に開閉ドア等を設けた装置では、そのドアの開閉のため、両側にも余裕スペースを設ける状態で、画像形成装置を設置することが必要とされる。そして、上記画像形成装置の両側に他の装置等を配置する場合でも、それ等の各装置は密接した状態に配置することができないことになり、事務スペース等にも無駄な空間を多く使用することになる。それに対して、画像形成装置の両側に、他の装置等を近接させて配置した場合には、その画像形成装置に対してメンテナンスを行う際に、他の装置を移動させるか、あるいは、画像形成装置を移動させることが必要となり、繁雑な作業を要求されるという問題がある。
【０００８】
このような問題を解消するために、画像読取り部と記録紙作成部との間に空間を設けて、その空間部に記録紙を排出させるようにし、画像形成装置の占めるスペースを少なくできるようにするとともに、デジタル方式を用いる画像形成装置の各機構に対して、フロント側からメンテナンス等を行い得るようにする装置がある。
【０００９】
このような画像形成装置は図１に示すようになっており、画像読取り部ａと記録紙作成部ｂとを上下に配置し、この画像読取り部ａと記録紙作成部ｂとの間に空間状の記録紙排出部ｃを配置し、記録紙作成部ｂにより作成された記録紙を記録紙排出口ｄより記録紙排出部ｃに向けて排出する機構を構成している。また、上記画像読取り部ａと記録紙作成部ｂとをコントロールするための操作手段ｅを、装置のフロント側に配置し、各装置のフロント側に開閉手段を配置すること、または、記録紙排出部ｃに向けて記録紙を排出させるために、記録紙作成部ｂでの用紙搬送路をフロント側に形成することがなされている。
【００１０】
これにより、装置本体の前側からのみメンテナンス等を行い得るようにすること、および、記録紙排出部ｃを、画像読取り部ａと記録紙作成部ｂとの間の空間部分に配置することができ、したがって、装置本体の両側には突出部がない状態の装置を構成することができ、画像形成装置の両側に、他の装置を密接させた状態で配置することが可能になるので、事務スペース等を有効に使用することを可能にすることができるようになっている。
【００１１】
【発明が解決しようとする課題】
しかしながら、上記した画像形成装置における記録紙排出部ｃは、記録紙を受ける排出トレイというものがなく、直接排出部底面に排出堆積されるようになっていたため、この排出された記録紙を取り出すのが非常にやりづらいという欠点があった。
【００１２】
本発明は、この欠点を除去、改良するためになされたもので、記録紙排出部に排出されてきた記録紙を取り出しやすくした画像形成装置を提供することを目的とするものである。
【００１３】
【課題を解決するための手段】
上記目的を達成するために、本発明に係る画像形成装置は、用紙に画像を形成して記録紙とする画像形成部が内部に配置され、装置の一方の側方側にて上方に突出するように設けられた突出部に記録紙が排出される記録紙排出口を有する記録紙作成部と、この記録紙作成部の上方に空間を介して設けられ、水平に固定した状態の原稿を読み取ると共に、読み取った画像情報を前記画像形成部に供給する画像読取り部と、前記記録紙作成部と画像読取り部との間の空間部に設けられ、記録紙作成部の記録紙排出口から排出された記録紙を収容する記録紙排出部と、前記突出部に対向する記録紙作成部の装置の他方の側方側に設けられ、前記画像読取り部を前記記録紙排出部の上方に支持する支持部とを備え、前記記録紙排出部には、前記記録紙作成部の上面と空間を隔てた状態で配置される排出トレイを具備させ、この排出トレイに前記記録紙作成部から排出される記録紙を積載可能とし、前記排出トレイは、前記記録紙排出口に隣接する側から他方の側に向けて上方に傾斜している傾斜部分と、装置手前側に装置奥側に向かって凹む切欠き部とを有すると共に、前記突出部の装置手前側の端部は前記支持部の装置手前側の端部よりも装置手前側に位置することを特徴とするものである。
更に、画像読取り部を前記記録紙作成部の両側部によって支持するようにすれば、画像読取り部をバランスよく支持することができ、かつ、排出トレイに排出された記録紙の脱落を有効に防止することができる。
更にまた、排出トレイについては、前記記録紙排出部にて、幅方向において前記記録紙排出口側から反対側の略全域に亘って配置される構成であることが好ましく、記録紙を安定的に収容し、脱落を有効に防止することができる。
また、排出トレイとしては、画像読取り部に対応する領域内に配置されているのが好ましい。
【００１４】
上述した技術的手段によれば、記録紙作成部と画像読取り部との間の空間部に記録紙排出部を設け、前記記録紙作成部の装置の一方の側方側にて上方に突出するように設けられた突出部に記録紙が排出される記録紙排出口を設けると共に、前記突出部に対向する記録紙作成部の装置の他方の側方側には、前記画像読取り部を前記記録紙排出部の上方に支持する支持部を設けるようにしたので、記録紙作成部と画像読取り部との間の空間部に設けられた記録紙排出部に排出されてきた記録紙を突出部と支持部との間に収容するコンパクトな装置が提供できる。
また、前記記録紙排出部には、前記記録紙作成部の上面と空間を隔てた状態で配置される排出トレイを具備させ、この排出トレイに前記記録紙作成部から排出される記録紙を積載可能とし、更に、前記記録紙排出口に隣接する側から他方の側に向けて上方に傾斜している傾斜部分と、装置手前側に装置奥側に向かって凹む切欠き部とを設けているので、傾斜部分に沿って記録紙が整合されると共に、切欠き部を通じて記録紙が取り出し易くなっている。
更にまた、前記突出部の装置手前側の端部は前記支持部の装置手前側の端部よりも装置手前側に位置するようになっているため、支持部の装置手前側の端部よりも突出部の記録紙排出口を装置手前側に配置し得ることができ、記録紙の取り出しを容易にすることができる。
【００１５】
【発明の実施の形態】
以下、本発明の実施の形態を図２以下に基づいて説明する。
画像形成装置１は画像読取り部２と記録紙作成部３とを上下に重ねた状態の装置として構成されており、両部２，３の間に空間を構成してこの部分に記録紙排出部４が形成してあり、この記録紙排出部４の一側部に上記記録紙作成部３に連なる記録紙排出口５が開口されている。
【００１６】
上記画像読取り部２では一般の画像読取り部と同様に、装置本体の上部に原稿をセットして原稿の画像を走査する機構を設けており、その原稿を押圧保持させるためのプラテンカバー６が設けてある。
一方記録紙作成部３には、記録紙排出部４と同一面上にコントロールパネル７が配設されており、これにより、上記画像読取り部２と記録紙作成部３等の操作の制御を行なうことができるようになっている。
【００１７】
上記画像読取り部２は下側の記録紙作成部３に対して、その前面が後方へＬ1だけシフトされており、記録紙作成部３の上面に構成される記録紙排出部４の一部が上方から見えるようになっている。
しかしてこの記録紙排出部４へ排出されてまた記録紙８を作業者はそのまま上方から見ることができる。
【００１８】
上記構成の画像形成装置１は図４に示すように、記録紙作成部３の内部に配置される画像形成部では、一般のレーザプリンタの場合と同様に、感光体ドラム９に対して書き込み装置１０を配置し、画像読取り部２から入力されるデジタル信号により、レーザビームを出力させ、そのレーザビームを感光体ドラム９に照射して、画像の書き込みを行うようにしている。また上記感光体ドラム９の周囲には電子写真方式を用いた画像形成機構の場合と同様に帯電器や現像装置１１、及びクリーニング装置１２、転写コロトロン１３が配置されている。そして感光体ドラム９を帯電器により一様に帯電させ、書き込み装置１０により書き込みを行って静電潜像を形成し、その静電潜像に対して現像装置１１からトナーを供給して、トナー画像を形成し、そのトナー画像を転写コロトロン１３の放電により用紙に転写させるようになっている。１４は排出ローラである。
【００１９】
また、上記画像形成部に向けて用紙を送るために上記記録紙作成部３においては装置の下部に給紙部１５を配置している。給紙部１５から記録紙作成部３の用紙搬送路に向けて送り出される用紙は感光体ドラム９からの画像転写部の直前部に配置されたレジローラ１６により用紙の先端部と感光体ドラム９に形成されるトナー画像とのタイミングを合わせて送り出される。そして転写コロトロン１３の放電によりトナー画像を用紙に転写し、そのトナー画像を担持する用紙を定着装置１７を通して定着して記録紙を作成し排出ローラ１４を介して記録紙排出口５から記録紙排出部４に向けて排出されるようにしてある。
【００２０】
図３は本発明の他の実施の形態を示すもので、この実施の形態で図２で示した上記実施の形態と異なるのは、図２で示す実施の形態での右側をフロント側とし、上側の画像読取り部２の左側から記録紙作成部３上の記録紙排出部４の一部が見えるようになっている。尚、図３中、図２と同様な符号は図２と同様な構成要素であることを示す。
【００２１】
図２において、２０は記録紙排出部４に、これの記録紙排出口５に向けて設けられた排出トレイである。この排出トレイ２０は図５に示すようになっており、記録紙排出口５に対向する一端部と排出方向他端部とが記録紙排出部４の上面に当接し、他の端部は、一端部から上方へ傾斜されて記録紙排出部４の上面から離間されている。またこの排出トレイ２０の奥側端部に側壁２１が立設されている。そしてこの排出トレイ２０は記録紙排出部４に対して抜き差し可能になっている。またこれの手前側には記録紙取出し用の切欠き２０ａが設けてある。
【００２２】
上記排出トレイ２０の排出面には複数のストッパ２２が設けてある。このストッパ２２は図６に示すように、記録紙排出口５から排出されてくる各サイズ（Ａ６、Ａ５，Ｂ５、Ａ４、Ｂ４、Ａ３）の記録紙８の奥側端縁に数ｍｍ（例えば約５ｍｍ）離間して対応する位置に、それぞれ排出方向に２個ずつ設けられている。
上記各ストッパ２２はこの実施の形態では厚さ０．１ｍｍのマイラにて構成されており、この各ストッパ２２は図８（ａ）に示すように、排出トレイ２０に設けたスリット２３より裏側から表側へ、かつ排出方向に傾斜して挿入突出され、その裏側に位置する根元部は両面テープ等にて固着されている。
上記各ストッパ２２はそれぞれ個々のマイラ片であってもよいが図６に点線で示すように、排出方向に同一位置のもの相互を一体にしてもよい。
【００２３】
この構成によれば、図６に示すように、記録紙排出口５より排出される各サイズの記録紙８は手前側がレジストレーションされて排出され、それぞれの奥側の端縁がそれぞれに対応するストッパ２２に当接案内されて整然と排出される。
このとき、該当する記録紙より手前側のストッパ２２は図８（ｂ）、図１０に示すようにたわみ変形されて排出時の抵抗となることがない。
【００２４】
上記ストッパ２２のストッパとしての強度を向上するためには図９に示すように先細状に形成すると共に、その奥側の縁に曲げ部２２ａを設けてその剛性を高くする。なおこの曲げ部２２ａは縁の全長に設けるのではなく、突出根元からＬ2 （例えば約５ｍｍ）だけ曲げのない部分が作られている。これは大きいサイズの用紙がきたときに容易にたわまなくてはならないためである。
【００２５】
上記実施の形態で説明した排出トレイ２０の排出面はフラット状にして図示したが、この排出面には図１１に示すように、一般の排出トレイと同様に、静電気による記録紙の吸着を防ぐためにリブ２４を設けてもよい。この場合、ストッパ２２はこのリブ２４の間に位置させ、記録紙８によってたわんだときの曲げ部分の逃げを含めストッパの収納スペースとなる。
【００２６】
排出トレイ２０上に排出されてきた記録紙８は図１２に示すように、その奥側端縁がストッパ２２に案内されて整然と堆積される。そしてこの記録紙８は記録紙排出部４よりまとめて取出される。このとき、排出トレイ２０が、記録紙排出部４の上面より離間されていることにより、この排出トレイ２０上からの記録紙８の取出しが容易に行われる。
またこのとき、あやまって記録紙８を奥側へ押し込んでも、ストッパ２２にてそれ以上奥側へ記録紙８が入り込むことがなく、安心して取出すことができる。
【００２７】
上記実施の形態ではストッパ２２をマイラで構成した例を示したが、図１３（ａ），（ｂ）に示すように、ストッパ２２ｂをプラスチック等の剛体の板状に形成してこれを排出トレイ２０ｂに回動自在に支持し、これの基部に設けたおもり２５にて先端側が突出状態を維持するようにし、紙の重さでおじぎをして引込むようにしてもよい。
【００２８】
【発明の効果】
請求項１に係る発明によれば、記録紙排出部の排出トレイ上に排出された記録紙の整合性と記録紙の良好な取り出し作業性を兼ね備えたコンパクトな画像形成装置を提供することができる。
更に、請求項２に係る発明によれば、画像読取装置をバランス良く支持することができ、かつ、排出トレイに排出された記録紙の脱落が起こりにくい画像形成装置を提供することができる。
更に、請求項３に係る発明によれば、記録紙の収容性が良い画像形成装置を提供することができる。
更に、請求項４に係る発明によれば、コンパクトな画像形成装置を提供することができる。
【図面の簡単な説明】
【図１】 従来例を示す斜視図である。
【図２】 本発明の実施の形態を示す斜視図である。
【図３】 本発明の他の実施の形態を示す斜視図である。
【図４】 本発明の実施の形態に係る複写機の内部構造を示す構成説明図である。
【図５】 排出トレイを示す斜視図である。
【図６】 排出トレイを示す平面図である。
【図７】 排出トレイを示す側面図である。
【図８】 （ａ），（ｂ）はストッパ取付部の構成及び作用を示す断面図である。
【図９】 ストッパの他例を示す斜視図である。
【図１０】 排出トレイ上に記録紙が排出堆積された状態を示す斜視図である。
【図１１】 排出トレイ上面にリブを設けた例を示す断面図である。
【図１２】 記録紙排出部より記録紙を取り出す状態を示す説明図である。
【図１３】 （ａ），（ｂ）はストッパのさらに異なる他例を示す斜視図と断面図である。
【符号の説明】
１…画像形成装置、２…画像読取り部、３…記録紙作成部、４…記録紙排出部、５…記録紙排出口、６…プラテンカバー、７…コントロールパネル、８…記録紙、９…感光体ドラム、１０…書き込み装置、１１…現像装置、１２…クリーニング装置、１３…転写コロトロン、１４…排出ローラ、１５…給紙部、１６…レジローラ、１７…定着装置、２０，２０ｂ…排出トレイ、２０ａ…切欠き、２１…側壁、２２，２２ｂ…ストッパ、２２ａ…曲げ部、２３…スリット、２４…リブ、２５…おもり。
【図１】
0003899240.tif 000002
【図２】
0003899240.tif 000003
【図３】
0003899240.tif 000004
【図４】
0003899240.tif 000005
【図５】
0003899240.tif 000006
【図６】
0003899240.tif 000007
【図７】
0003899240.tif 000008
【図８】
0003899240.tif 000009
【図９】
0003899240.tif 000010
【図１０】
0003899240.tif 000011
【図１１】
0003899240.tif 000012
【図１２】
0003899240.tif 000013
【図１３】
0003899240.tif 000014